(57)【要約】【課題】氷片の放出口に摩耗粉などが混入し難い構造の扉開閉機構を備えるディスペンサを提供する。【解決手段】ディスペンサの本体２の前面に配設された開閉扉機構７は、氷片を貯留する貯氷庫に画成された放出口を開閉するように枢支軸１１回りに回動自在に枢支される開閉扉８と、開閉扉８を開閉駆動させるように開閉扉にリンク機構を介して連結する駆動手段である電磁ソレノイド１４とを備えている。電磁ソレノイド１４のプランジャ１３と開閉扉８の扉ブラケット８１とを連結するリンク機構の各構成要素、すなわち、ガイド穴１７を備える支持側板１６、連結軸１９、作動板２０、枢支ピン２１、枢支軸１１、扉支持側板１８は、放出口５ａとシュート１０とで構成される氷片の氷放出路の上方に臨む位置から外れた位置に配設されている。【選択図】図３
2006071261.tif 000002
【特許請求の範囲】
【請求項１】
氷片を貯留する貯氷庫に画成された放出口を開閉するように枢支軸回りに回動自在に枢支される開閉扉と、
前記開閉扉を開閉駆動させるように該開閉扉にリンク機構を介して連結する駆動手段と、を備えるディスペンサにおいて、
前記開閉扉と前記駆動手段とを連結する前記リンク機構を、前記放出口から放出される前記氷片の氷放出路の上方位置から外れた位置に配設したことを特徴とするディスペンサ。
【請求項２】
前記リンク機構は、少なくとも、一対の支持側板と、該支持側板に各々に画成されたガイド穴と、一対の該ガイド穴を貫通して延在すると共に前記駆動手段に連結され前記ガイド穴に沿って往復動する連結軸と、一端が該連結軸に回動自在に接続されると共に他端が前記開閉扉に枢支ピンを介して回動自在に接続される左右一対の作動板と、を備えており、
前記一対の作動板間に連結シャフトを設けたことを特徴とする請求項１に記載のディスペンサ。
【請求項３】
前記開閉扉に前記枢支ピンを軸支する軸受を配設し、
該軸受の延長シャフト部の表面で、前記開閉扉が前記放出口を塞ぐ方向へ常時付勢する捻りばねをスライド可能に係止したことを特徴とする請求項２に記載のディスペンサ。
【発明の詳細な説明】
【技術分野】
【０００１】
本発明は、氷片を放出するディスペンサに関し、特に、氷片を貯留する貯氷庫に画成された氷片の放出口を塞ぐ扉開閉機構に関する。
【背景技術】
【０００２】
従来から喫茶店やレストランなどの飲食施設において、水やジュースなどの飲料水を提供する際には、コップに所要量の氷片を供給するアイスディスペンサが使用されている。このアイスディスペンサは、所定寸法の氷片を連続的に製造する製氷装置と、この製氷装置で製造された氷片を貯留する貯氷庫と、この貯氷庫の放出口を開閉する開閉扉を作動させる開閉装置などを基本的に備えており、使用者が所定の押しボタンスイッチあるいは放出レバーを押すと氷片が放出口から放出されるように構成されている（例えば、特許文献１、特許文献２、特許文献３参照。）。
【０００３】
図７及び８を用いて、貯氷庫１００の放出口１０１の開閉動作を説明する。貯氷庫１００の前面に開設された放出口１０１には、枢支軸１０２に回動自在（矢印方向）に枢支された開閉扉１０３が配置されており、捻りばね１０４のばね力によって、常には放出口１０１を閉成する方向に付勢されている。開閉扉１０３を開閉作動させる開閉装置１０５は、貯氷庫１００の外壁に取付けられており、開閉装置１０５を作動させると開閉扉１０３が放出口１０１を開放する方向に回動し、放出口１０１から氷片が放出されシュート１０６を介してコップなど（図示せず）に案内されるように構成されている。
【０００４】
開閉装置１０５は、プランジャ１０７を下方に指向させた電磁ソレノイド１０８を備えており、プランジャ１０７の下端には連結軸１０９を介して作動板１１０が回動自在に枢支されている。この作動板１１０の下端は、開閉扉１０３の枢支軸１０２による枢支位置から偏位した位置に、枢支ピン１１１を介して回動自在に枢支されている。このような構成の開閉装置１０５において、電磁ソレノイド１０８が励磁されていない時には、開閉扉１０３は捻りばね１０４のばね力により放出口１０１を閉成するように付勢されているが、使用者が上述した押しボタンスイッチを押すことによって電磁ソレノイド１０８が励磁されると、プランジャ１０７を上方に引き込むことにより作動板１１０を引き上げるので、捻りばね１０４の弾力に抗して開閉扉１０３が枢支軸１０２を中心として回動し、放出口１０１を開放する。また、この開閉扉１０３が開くと同時に、貯氷庫１００の内部に配設された攪拌装置であるアジテータ１２０が回転し、貯氷室１００内の氷片に回転力が与えられて、放出口１０１から氷片が放出される。その後、使用者が押しボタンスイッチを離すと、電磁ソレノイド１０８への通電が切られて消磁し、開閉扉１０３は捻りばね１０４のばね力により再び放出口１０１を閉成するように構成されている。
【０００５】
また、ディスペンサには、製氷装置による製氷運転中は、貯氷庫１００内のアジテータ１２０も回転するように構成されているため、アジテータ１２０の先端付近に位置する氷片が開閉扉１０３側へ押し付けられて、開閉扉１０３を開けようとする力が働くことがあるため、開閉装置１０５には、必要時以外に開閉扉１０３が回動しないようにロックする開閉扉ロック機構１１６が設けられている。この開閉扉ロック機構１１６は、作動板１１０にロックアーム支持軸１１２を介して回動自在に且つ作動軸１１０と平行に設けられた金属製の開閉扉用ロックアーム１１３を備えており、このロックアーム１１３には、プランジャ１０７が連結されていると共に枢支軸１０２の外周面と係合する半円形状のフック部１１４が形成されている。また、開閉扉ロック機構１１６は、ロックアーム支持軸１１２の外周にロックアーム付勢ばね１１５を備えており、このロックアーム付勢ばね１１５のばね力でロックアーム１１３のフック部１１４を枢支軸１０２の外周面に押し付けて開閉扉１０３をロックするように構成されている。
【０００６】
【特許文献１】特許第３１９０８４０号公報
【特許文献２】特許第３３０７８８０号公報
【特許文献３】特開２００３−５６９５９号公報
【発明の開示】
【発明が解決しようとする課題】
【０００７】
しかしながら、上述のように構成されたディスペンサの開閉装置１０５や開閉扉ロック機構１１６の構成要素、例えば、プランジャ１０７，作動板１１０、ロックアーム１１３、枢支軸１０２等は、総て氷片の放出口１０１やシュート１０６からなる氷放出路の上方に位置しているため、各構成要素間の摺動部からの摩耗粉や埃が氷放出路に落下あるいは堆積して、放出口１０１から放出される氷片に混入してしまうという問題があった。
【０００８】
また、開閉扉１０３の開閉装置１０５や開閉扉ロック機構１１６を限られた狭い場所で組み立てる必要があることから作業性が悪く、そのゆえ、メインテナンス時の部品の点検や、必要に応じた部品の交換がしづらく、さらには、摩耗粉や埃の放出口１０１への落下を防ぐためのカバーを取付けるスペースも存在しないことが知られていた。
【０００９】
従って、本発明は、上述した従来の技術の問題を解決するためになされたもので、氷片の放出口に摩耗粉などが混入し難い構造の扉開閉機構を備えるディスペンサを提供することを主な目的とするものである。
【課題を解決するための手段】
【００１０】
上述の目的を達成するため、請求項１に記載の本発明によれば、ディスペンサは、氷片を貯留する貯氷庫に画成された放出口を開閉するように枢支軸回りに回動自在に枢支される開閉扉と、前記開閉扉を開閉駆動させるように該開閉扉にリンク機構を介して連結する駆動手段とを備えており、前記開閉扉と前記駆動手段とを連結する前記リンク機構を、前記放出口から放出される前記氷片の氷放出路の上方位置から外れた位置に配設したことを特徴としている。
【００１１】
前記リンク機構が、少なくとも、一対の支持側板と、該支持側板に各々に画成されたガイド穴と、一対の該ガイド穴を貫通して延在すると共に前記駆動手段に連結され前記ガイド穴に沿って往復動する連結軸と、一端が該連結軸に回動自在に接続されると共に他端が前記開閉扉に枢支ピンを介して回動自在に接続される左右一対の作動板と、を備えており、前記一対の作動板間に連結シャフトを設けることも好ましい。また、前記開閉扉に前記枢支ピンを軸支する軸受を配設し、該軸受の延長シャフト部の表面で、前記開閉扉が前記放出口を塞ぐ方向へ常時付勢する捻りばねをスライド可能に係止することもできる。
【発明の効果】
【００１２】
開閉扉と駆動するためのリンク機構を、放出口から放出される氷片の氷放出路の上方位置から外れた位置に配設するので、リンク機構の構成要素間の摺動部から摩耗粉が落下しても氷放出口に落ちないため、氷片に摩耗分が混入することがなくなる。
【発明を実施するための最良の形態】
【００１３】
次に、本発明の好適な実施の形態を、添付図面を参照しながら説明するが、図中、同一符号は、同一又は対応部分を示すものとする。
【実施例１】
【００１４】
以下では、本発明を、オーガ式製氷機を組み入れたアイスディスペンサに適用した例を説明する。図１は、本発明の第１の実施形態に係るアイスディスペンサ１の概略を示す一部破断して示す側面図である。アイスディスペンサ１は、筐状の本体２を備えており、この本体２の内部には、オーガスクリュー４を備えるオーガ式製氷機３が配設されると共に、このオーガ式製製氷機３の上部に、この製氷機で製造された氷片を貯留する貯氷庫５が配設されていて、冷却円筒内壁面に形成された層状の薄氷をオーガスクリュー４により削氷しつつ上方へ移動し、固定刃で圧縮してから所要形状に切断し、貯氷庫５に貯留されるようになっている。
【００１５】
貯氷庫５の内部には、複数の攪拌棒からなる攪拌装置６がオーガスクリュー４の上方に回転自在に配設されており、貯氷庫５の内部に堆積した氷片群を攪拌して相互に固結するのを防止すると共に、貯氷庫に開設された放出口５ａからの氷片の円滑な放出を助けるべく機能する。また、この攪拌装置６は、使用者がアイスディスペンサ１の所定の押しボタンスイッチや放出レバー（図示せず）を押して氷片が要求された際には、単独で回転するが、オーガ式製氷機３による製氷運転中は、オーガスクリュー４と同期して回転するように構成されている。貯氷庫５の前面側には、貯氷庫５の放出口５ａを開閉する開閉扉８を駆動するための扉開閉機構７が取付ブラケット９（図２参照）を介して配設されている。貯氷庫５の放出口５ａの周囲には、前面に位置する開閉扉８の側方及び下方を囲むように、上側が開放されたシュート１０が取付けられており、扉開閉機構７により開閉扉８が開いて放出口５ａから氷片が放出されると、シュート１０に案内されて開口部２ａを介して外部に放出されるように構成されている。このように、氷片は、貯氷庫５の放出口５ａからシュート１０に案内されて放出されるので、放出口５ａとシュート１０とは、氷片の「氷放出路」を構成する。
【００１６】
次に、扉開閉機構７を、図２及図３を用いて詳述する。図２は開閉扉８が放出口５ａを塞いだ状態を示す側面図で、図３はその斜視図である。開閉扉機構７は、枢支軸１１回りに回動自在に枢支された開閉扉８と、開閉扉８を開閉駆動させる駆動手段である電磁ソレノイド１４と、電磁ソレノイド１４のプランジャ１３及び開閉扉８間を連結するリンク機構とから構成されている。ここで、一構成要素であるリンク機構は、ガイド穴１７を備える支持側板１６と、連結軸１９と、作動板２０と、枢支ピン２１と、枢支軸１１と、扉支持側板１８とから構成されている。以下に、これらの機構を詳述する。
【００１７】
アイスディスペンサ１の貯氷庫５の外壁の前側において、氷片の放出口５ａの上方に臨む位置には、取付ブラケット９を介して横断面がコ字状の取付支持枠１５が取付けられている。下方に位置する氷放出路に埃が落下しないようにするためには、取付支持枠１５に上板を取付けておくのが好ましい。取付支持枠１５の左右一対の支持側板１６は、貯氷庫５に対して前方に且つ下方に位置するシュート１０の一対の側板１０ａの外側の位置において平行に延出しており、支持側板１６の下方には、各々鉛直方向に細長いガイド穴１７が画成されている。取付支持枠１５の内部には、駆動手段である電磁ソレノイド１４がプランジャ１３を下方に指向する状態で固定されている。プランジャ１３の下端には、左右の支持側板１６に画成されたガイド穴１７を貫通して外側まで延在する連結軸１９が取付けられている。この連結軸１９は、プランジャ１３の鉛直方向動に合わせて、ガイド穴１７に沿って鉛直方向に往復動するように構成されている。また、一対の支持側板１６の外側に突出した部分において、連結軸１９には、各々作動板２０の一端部が回動自在に接続されている。このように、プランジャ１３に取付けられた連結軸１９とガイド穴１７との摺動部、連結軸１９と作動板２０との摺動部は、いずれも、支持側板１６の外側、すなわち、シュート１０の一対の側板１０ａの外側に位置するように構成されている。
【００１８】
一方、開閉扉８には、この開閉扉８をリンク機構と接続するための扉ブラケット８１が取付けられている。扉ブラケット８１は、開閉扉８を取付ける固定平板部８６と、シュート１０の一対の側板１０ａの内側において固定平板部８６から各々前方に平行に延出している一対の第１支持板８２と、第１支持板８２から各々シュート１０の側板１０ａを越えて外側に突出するする外延出板８３と、シュート１０の側板１０ａの外側において外延出板８３から各々後方（貯氷庫５に向かう方向）に平行に延出する一対の第２支持板８４とから構成されている。なお、図３から良く分かるように、開閉扉８が放出口５ａを閉じた状態の位置に置いて、扉ブラケット８１の外延出板８３がシュート１０の側板１０ａと干渉しないようにするために、外延出板８３には、各々切欠部８５が画成されている。なお、第２支持壁８４は、上方に位置する支持側板１６と鉛直方向において同じ平面内に位置するように配置されている。
【００１９】
扉ブラケット８１の第１支持板８２は、枢支軸１１を介して左右一対の扉支持側板１８に回動自在に接続されている。扉支持側板１８は、各々支持側板１６の下側において、一対のシュート１０の側板１０ａの外側位置に取付けられている。また、扉支持側板１８は、支持側板１６と一体成形してもよい。なお、枢支軸１１は、後述する開閉扉８のロック機構２６との関係で、一側が他側より長く突出している。扉ブラケット８１の第２支持板８４には、開閉扉８の枢支軸１１による回動位置から偏位した位置において、枢支ピン２１を介して上述した作動板２０の他端部が回動自在に接続されている。このような構成により、プランジャ１３の鉛直方向動に合わせて連結軸１９がガイド穴１７に沿って往復動すると、作動板２０、枢支ピン２１を介して扉ブラケット８１の第２支持板８４が、すなわち開閉扉８が枢支軸１１回りに揺動するように構成されている。また、図２に示すように、取付支持枠１５の支持側板１６と開閉扉８の扉ブラケット８１とに跨って捻りばね１２が取付けられており、開閉扉８が放出口５ａを塞ぐ方向へ常時付勢されている。以上のように、扉ブラケット８１の第１支持板８２に取付けられた枢支軸１１と扉支持側板１８との摺動部、第２支持板８４と枢支ピン２１との摺動部、さらには、枢支ピン２１と作動板２０との摺動部は、いずれも、シュート１０の一対の側板１０ａの外側に位置するように構成されている。なお、プランジャ１３の下側位置には、氷片の放出口５ａ及びシュート１０からなる氷放出路を覆うように、前方に水平方向に延在するカバー５０が取付支持枠１５の下端に取付けられている。このカバー５０は、図２に示すように縁部を上側に突出させた受け皿状のものでも、あるいは、図３に示すように、単なる板状のものでも良い。
【００２０】
次に、ディスペンサ１の扉のロック機構２６を説明する。ロック機構２６の構成要素は、従前のものと同じであるが、組み付け位置が一側の支持側板１６の外側、すなわち、シュート１０の側板１０ａの外側に位置する点で、従前のものと異なる。すなわち、ロック機構２６は、一側の作動板２０にロックアーム支持軸２４を介して回動自在に且つ作動板２０と平行に設けられたロックアーム２２を備えており、このロックアーム２２には、プランジャ１３が連結されていると共に枢支軸１１の外周面と係合する半円形状のフック部２３が形成されている。また、ロック機構２６は、ロックアーム支持軸２４の外周にロックアーム付勢ばね２５を備えており、一端がロックアーム２２に、他端が作動軸２０に係止されている。そして、ロックアーム付勢ばね２５のばね力でロックアーム２２のフック部２３を枢支軸１１の外周面に押し付けて開閉扉８をロックするように構成されている。このように、ロック機構２６の総ての構成要素は、氷片の放出口５ａから見て、一側の作動板２０の外側に配設されている。
【００２１】
以上のように構成された扉開閉機構７を備えたアイスディスペンサ１の動作を説明する。使用者が押しボタンスイッチや氷放出レバー（図示せず）を押すと、その時の貯氷庫５内部の氷片の貯留状態によるが、例えば、貯氷庫５が満杯状態であれば、ギャードモータ（図示せず）が回転を始めて攪拌装置６を回転させると同時に、電磁ソレノイド１４に通電され、プランジャ１３が鉛直上方へ引き上げられる。その際、プランジャ１３に枢支された連結軸１９が支持側板１６のガイド穴１７に沿って上方へ移動し、作動板２０を介して枢支ピン２１、並びにロックアーム２２を上方へ引き上げる。これによりフック部２３が枢支軸１１から外れてロックが解除されると共に、開閉扉８が枢支軸１１を中心に下から前方上向きに揺動して、貯氷庫５の放出口５ａを開放する。そして、氷片が攪拌装置６の回転力を受けて貯氷庫５の放出部５ａから押し出され、シュート１０を滑り落ちて所定のコップの中に落ちる。
【００２２】
その後、所望量の氷片がコップに入ると、使用者は、押しボタンスイッチや氷放出レバーを離す。そうすると、ギャードモータが停止して攪拌装置６の回転が止まると共に、電磁ソレノイド１４への通電が止まる。そうすると、開閉扉８の開動作とは逆方向にリンク機構が作動し、プランジャ１３の自重による鉛直下方への押し出し動によって連結軸１９が支持側板１６のガイド穴１７に沿って下方へ移動し、作動板２０を介して枢支ピン２１が下方へ押されることと共に捻りばね１２のばね力とにより、開閉扉８が枢支軸１１を中心に上から後方下向きに揺動して、貯氷庫５の放出口５ａを閉鎖する。同時に、ロックアーム２２が下方に押されると共にロックアーム付勢ばね２５のばね力により、フック部２３が枢支軸１１の外周面に押し付けられて開閉扉８がロックされる。
【００２３】
以上のような開閉扉８の開閉動作中、開閉扉８の扉ブラケット８１と駆動手段である電磁ソレノイド１４のプランジャ１３とを連結するリンク機構の各構成要素間の摺動部、すなわち、プランジャ１３に取付けられた連結軸１９とガイド穴１７との摺動部、連結軸１９と作動板２０との摺動部、扉ブラケット８１の第１支持板８２に取付けられた枢支軸１１と扉支持側板１８との摺動部、第２支持板８４と枢支ピン２１との摺動部、さらには、枢支ピン２１と作動板２０との摺動部は、いずれも、シュート１０の一対の側板１０ａの外側に、すなわち、氷片の放出口５ａ及びシュート１０で構成する氷放出路の上方に臨む位置から外れた位置に位置するため、摺動部からの摩耗粉が落下しても氷放出路に落ちることが無く、氷片に摩耗粉が混入することがない。加えて、開閉扉８のロック機構２６の各構成要素間の摺動部も、開閉扉機構７のリンク機構より外側に位置しているため、摺動部からの摩耗粉が氷放出路に落下することがない。さらに、氷放出路を覆うようにカバー５０を取付けてあるため、氷放出路への埃などの落下物をより確実に無くすことができる。
【００２４】
また、開閉扉機構７やロック機構２６の各構成要素を取付支持枠１５の外側に位置させたため、広い空間で組み立て作業を行うことができ、非常に作業性がよく、市場での部品交換も楽になる。また、上述したように、従来は取付けることができなかった氷片の放出口５ａを臨む上方位置に、氷放出路を覆うようにカバーを簡単に取付けることができるようになる。
【実施例２】
【００２５】
次に、図４及び図５を参照しながら、本発明に係る第２の実施形態を説明する。この第２の実施形態においては、第１の実施形態の左右一対の作動板２０の間に連結シャフト６０を配設し、一対の作動板２０を接続固定したものである。このように、一対の作動板２０を連結させると、作動板間の左右の位置を決めることができ、広がったり狭まったりすることが無く、開閉扉機構７のリンク機構がスムーズに動作できるようになる。以下に、その詳細を説明する。
【００２６】
図５にリンク機構の概略が示してあるが、左右一対の作動板２０の中央付近には、両者を連結する連結シャフト６０が取り付け固定されている。作動板２０の連結棒１９側の端部には、貫通穴２００が画成されており、この貫通穴２００に断面Ｔ字形の軸受部２０１が、そのフランジ部２０２が作動板２０の外側面に当接するように嵌め付けられ、ボス部２０３が貫通穴２００に嵌挿されている。連結棒１９は、左右一対の支持側板１６に画成されたガイド穴１７の各々外側位置において、作動板２０に軸受部２０１を介して回動自在に取付けられている。脱落防止のために、連結棒１９の一側には拡径頭部１９ａが一体成形されており、他側の先端には割りピン１９１が嵌め込まれている。
【００２７】
作動板２０の開閉扉用扉ブラケット８１側の端部には、内向きに突出するボス２１０が一体成形されており、このボス２１０が枢支ピン２１として機能する。詳述すると、扉ブラケット８１の第２支持板８４には、貫通穴２１１が画成されており、この貫通穴２１１に断面Ｔ字形の軸受部２１２が、そのフランジ部２１３が第２支持板８４の外側面に当接するように嵌め付けられ、ボス部２１４が貫通穴２１１に挿入されている。作動板２０のボス２１０は、軸受部２１２を介して扉ブラケット８１を回動自在に支持している。また、ボス２１０は、軸受部２１２を貫通して第２支持板８４の内側まで突出しており、その先端と第１支持板８２との間に、隙間２２０が画成されている。ボス２１０の軸受部２１２より内側のシャフト部分２１０ａには、上述した開閉扉８が放出口５ａを塞ぐ方向へ常時付勢するための捻りばね１２の一端が挿入されており、さらに、ワッシャー２１５で押さえて、割ピン２１６で固定している。
【００２８】
このような構成において、扉を開く際に電磁ソレノイド１４が通電されると、プランジャ１３が上方へ吸引され、さらにプランジャ１３と連結している連結軸１９、並びに作動板１９に軸受部２０１を介して回動自在に支持されている左右一対の作動板２０がガイド穴１７を鉛直方向上方へ移動する。一方、扉を閉じる際には電磁ソレノイド１４への通電をなくすと、プランジャ１３の吸引は止まり、プランジャ１３の自重と捻りばね１２の付勢力で、連結軸１９と左右一対の作動板２０とがガイド穴１７に沿って鉛直方向下方へ移動する。
【００２９】
以上のような扉の開閉時には、左右一対の作動板２０が同時に動作することになるが、この作動板２０の動作は、一対の軸受部２０１と一対の軸受部２１２の４カ所で受けられている。ここで、作動板２０の連結軸１９側の一対の軸受部２０１は、連結軸１９を固定する際に、作動板２０の左右方向の位置決めを行うことができるが、扉ブラケット８１側の一対の軸受部２１２は、捻りばね１２を取付けたり、ボス２１０の先端が第１支持板８２に緩衝しないように隙間２２０を空ける長さに形成されているために、左右の位置決めをすることができず、一対の作動板２０の扉ブラケット８１側の間隔が広がったり狭まったりして、結果として作動板２０にねじれが発生することが考えられる。このように作動板２０にねじれが発生すると、扉開閉時における作動板２０の動きが悪くなったり、最悪動作しなくなることも考えられる。また、各軸受部２０１及び軸受部２１２に偏摩耗が発生し、軸受部の耐久性が低下することも考えられる。さらには、作動板２０の外側に配設されたロックアーム２２の動作不良にも繋がることが考えられる。
【００３０】
しかしながら、第２の実施形態のように、左右一対の作動板２０を中央付近で連結シャフト６０で固定することにより、作動板２０の軸受部が存在する両端において、作動板２０が広がったり狭まったりすることがなく、作動板２０がスムーズに動作する。その結果、作動板２０の各軸受部２０１及び２１２に偏摩耗が生じることが無く、軸受の寿命が向上する。
【実施例３】
【００３１】
次に、図６を参照しながら、本発明に係る第３の実施形態を説明する。この第３の実施形態においては、第２の実施形態とは、開閉扉８が放出口５ａを塞ぐ方向へ常時付勢するための捻りばね１２の係止方法が異なっているが、その他の点は同じため、説明は省略する。
【００３２】
扉ブラケット８１の第２支持板８４の貫通穴２１１には、延長シャフト部２３１付きの軸受２３０が嵌着されている。すなわち、軸受２３０は、拡径部２３２と延長シャフト部２３１との段付き部材として構成されており、軸受２３０を貫通穴２１１に挿入した際に、拡径部２３２が第２支持板８４の外側面に当接すると共に、延長シャフト部２３１の先端部２３３が第１支持板８２の外側に当接するように構成されている。拡径部２３２の外面から内側に向かって支持孔２３４が画成されている。支持孔２３４の深さは、軸受２３０を貫通孔２１１に取付けた際に、第２支持板８４の内側面に対応する位置ぐらいまでである。支持孔２３４には、枢支ピンとして機能する作動板２０に一体成型されたボス２１０’が嵌着される。この際、ボス２１０’の先端は、第２支持板８４の内側面に達するので、確実にボス２１０’を支持することができる。
【００３３】
一方、第２支持板８４から第１支持板８２に渡って突出している延長シャフト部２３１には、この延長シャフト部２３１を挿着する際に、捻りばね１２を通しておく。このように延長シャフト部２３１の表面に係止された捻りばね１２は、第１支持板８２の外側面と第２支持板８４の内側面との間で距離Ｌだけ左右にスライド可能な状態になる。
【００３４】
以上のように構成された捻りばねの係止方法と、図５に示した第２の実施形態における捻りばねの係止方法と比べてみると、第２の実施形態のものでは、作動板２０のボス２１０に捻りばね１２を通し、この捻りばね１２をワッシャー２１５で押さ付けて割りピン２１６で固定しているので、捻りばね１２は外側（すなわち、作動板２０側）へ押さえ付けられる。このため、捻りばね１２に折れが生じたり、偏摩耗が発生する場合が考えられる。また、軸受部２１２と扉ブラケット８１の第１支持板８２との寸法幅が狭いため、捻りばね１２、ワッシャー２１５、及び割ピン２１６を組み付ける際に時間が掛かかると共に、市場での部品交換がし難いということが考えられる。
【００３５】
しかしながら、第３の実施形態では、軸受部２３０の延長シャフト部２３１に捻りばね１２を挿入するだけで、組み付けが終了するため、組立が容易になると共に、市場での作業性が向上する。また、ワッシャーを無くすことにより、捻りばね１２が押し付けられることが無く、自由に延長シャフト部２３１の表面でスライド可能に係止されため、捻りばねが自然体、すなわち、ばねの製作上のバラツキが吸収でき、応力の掛からない状態で存在するため、捻りばね１２の偏摩耗が少なくなり、耐久性が向上する。さらに、延長シャフト部２３１の先端部２３３が第１支持板８２の外側面に当接しているため、捻りばね１２が軸受２３０から外れることもない。
【００３６】
以上のように、本発明を、オーガ式製氷機を組み入れたアイスディスペンサに適用した例を説明したが、本発明はこれに限定されるものではなく、例えば、オーガ式ではない別の製氷機を備えるアイスディスペンサにも、同様に適用することができるし、あるいは、氷のみのアイスディスペンサではなく、氷に加えて、水やジュースなどの清涼飲料水も同時に抽出できるようなディスペンサにも、同様に適用することができるものである。
【図面の簡単な説明】
【００３７】
【図１】本発明の第１の実施形態に係るアイスディスペンサの概略を示す一部破断側面図である。
【図２】図１に示したアイスディスペンサの開閉扉が放出口を塞いだ状態の扉開閉機構を示す側面図である。
【図３】図２の斜視図である。
【図４】本発明の第２の実施形態に係る扉開閉機構の概略を示す斜視図である。
【図５】図４の部分正面図である。
【図６】本発明の第３の実施形態に係る捻りばねの係止方法の概略を示す部分正面図である。
【図７】従来の扉の開閉機構を示す側面構成図である。
【図８】図７の正面図である。
【符号の説明】
【００３８】
１    アイスディスペンサ
２    本体
３    オーガ式製氷機
５    貯氷庫
５ａ  放出口
６    攪拌装置
７    扉開閉機構
８    開閉扉
９    取付ブラケット
１１    枢支軸
１２    捻りばね
１３    プランジャ
１４    電磁ソレノイド
１５    取付支持枠
１６    支持側板
１７    ガイド穴
１８    扉支持側板
１９    連結軸
２０    作動板
２１    枢支ピン
２２    ロックアーム
２３    フック部
２４    ロックアーム支持軸
２５    ロックアーム付勢ばね
２６    ロック機構
５０    カバー
６０    連結シャフト
８１    扉ブラケット
８２    第１支持板
８３    外延出板
８４    第２支持板
８５    切欠
８６    固定平板部
２０１，２１２  軸受部
２１０，２１０’  ボス
２３０  軸受部
２３１  延長シャフト部
【図１】
2006071261.tif 000003
【図２】
2006071261.tif 000004
【図３】
2006071261.tif 000005
【図４】
2006071261.tif 000006
【図５】
2006071261.tif 000007
【図６】
2006071261.tif 000008
【図７】
2006071261.tif 000009
【図８】
2006071261.tif 000010